(57)【要約】【課題】  打込み横長楔の打込みを、楔用窓孔の内面に食い込みや変形を生じさせず正確にでき、梁と柱等の接合連繋を設定どおり強固なものにする。【解決手段】  梁または桁と柱、柱と土台等を接合連繋している木造建築物における接合連繋構造において、楔用窓孔ｂ’，ｃ’に、高さｈを楔用窓孔ｂ’，ｃ’の高さと略同じにした一対の楔案内片ｄ，ｄ’を互いの内面１１，１４を対向させた状態で装着し、この一対の楔案内片ｄ，ｄ’の間に、高さｈ’を上記楔案内片ｄ，ｄ’の高さｈと同じにした打込み横長楔ｅを打ち込んでなり、かつ、一方の楔案内片ｄが、その先端１０に係止部１３を突設し、その係止部１３に他方の楔案内片ｄ’の先端１５が係止している。【選択図】  図３
2005213944.tif 000002
【特許請求の範囲】
【請求項１】
柱に取り付けた接合金具に梁または桁の端部を嵌合し、その接合金具と梁または桁の端部の楔用窓孔に、楔案内片を装着し、その楔案内片に重合案内させながら打込み横長楔を打ち込むことにより、梁または桁全体を柱に向かって移動し、梁または桁と柱を接合連繋している木造建築物における接合連繋構造において、楔用窓孔（ｂ’，ｃ’）に、高さ（ｈ）を楔用窓孔（ｂ’，ｃ’）の高さと略同じにした一対の楔案内片（ｄ，ｄ’）を互いの内面（１１，１４）を対向させた状態で装着し、この一対の楔案内片（ｄ，ｄ’）の間に、高さ（ｈ’）を上記楔案内片（ｄ，ｄ’）の高さ（ｈ）と同じにした打込み横長楔（ｅ）を打ち込んでなることを特徴とする木造建築物における接合連繋構造。
【請求項２】
土台に取り付けた接合金具に柱の下端部を嵌合し、その接合金具と柱の下端部の楔用窓孔に、楔案内片を装着し、その楔案内片に重合案内させながら打込み横長楔を打ち込むことにより、柱全体を土台に向かって下降させ、柱と土台を接合連繋している木造建築物における接合連繋構造において、楔用窓孔（ｂ’，ｃ’）に、高さ（ｈ）を楔用窓孔（ｂ’，ｃ’）の高さと略同じにした一対の楔案内片（ｄ，ｄ’）を互いの内面（１１，１４）を対向させた状態で装着し、この一対の楔案内片（ｄ，ｄ’）の間に、高さ（ｈ’）を上記楔案内片（ｄ，ｄ’）の高さ（ｈ）と同じにした打込み横長楔（ｅ）を打ち込んでなることを特徴とする木造建築物における接合連繋構造。
【請求項３】
一対の楔案内片（ｄ，ｄ’）が、基端（９，１６）側の幅（ｗ１，ｗ３）に比し先端（１０，１５）側の幅（ｗ２，ｗ４）を広くして先太にしてなり、打込み横長楔（ｅ）が基端（１７）側の幅（ｗ５）に比し先端（１８）側の幅（ｗ６）を狭くして先細にしてなることを特徴とする請求項１または２記載の木造建築物における接合連繋構造。
【請求項４】
一方の楔案内片（ｄ）が、その外面に縦凹溝（１２）を掘設し、その縦凹溝（１２）を接合金具（ｂ）の楔用窓孔（ｂ’）の孔縁（ｂ’１）に嵌合していることを特徴とする請求項１，２または３記載の木造建築物における接合連繋構造。
【請求項５】
一方の楔案内片（ｄ）が、その先端（１０）に係止部（１３）を突設し、その係止部（１３）に他方の楔案内片（ｄ’）の先端（１５）が係止していることを特徴とする請求項１，２，３または４記載の木造建築物における接合連繋構造。
【請求項６】
一対の楔案内片（ｄ，ｄ’）の内面（１１，１４）および打込み横長楔（ｅ）の両側面を粗面としていることを特徴とする請求項１，２，３，４または５記載の木造建築物における接合連繋構造。
【発明の詳細な説明】
【技術分野】
【０００１】
本発明は、木造建築物における接合連繋構造、さらに詳しくは、木造建築物における梁，桁もしくは土台と柱との間の接合連繋構造の改良に関する。
【背景技術】
【０００２】
木造建築物におけるこの種の接合連繋構造として、特許文献１（第２５６５４４１号実用新案登録公報）および特許文献２（第２５７０５４３号実用新案登録公報）等に記載されたものが既に知られている。
【０００３】
特許文献１に記載のものは、梁と柱を接合連繋する構造で、柱に取り付けてある接合金具に梁の端部を嵌合し、その接合金具と梁に設けてある楔用窓孔に、楔案内片を挿通するとともに、打込み横長楔を、その一側面を上記楔案内片に摺接させながら打ち込み、これにより、梁全体が上記接合金具に対して柱に向かって移動し、梁の端面を柱の側面に強制的に接合し強固に連繋するようにしたものである。
【０００４】
また、特許文献２に記載のものは、柱と土台を接合連繋する構造で、土台に取り付けてある接合金具に柱の下端部を嵌合し、その接合金具と柱に設けてある楔用窓孔に、楔案内片を挿通するとともに、打込み横長楔を、その一側面を上記楔案内片に摺接させながら打ち込み、これにより、柱全体が上記接合金具に対して土台に向かって下降し、柱の下端面を土台の上面に強制的に接合し強固に連繋するようにしたものである。
【０００５】
すなわち、上記特許文献１および２に記載のものは、いずれも、打込み横長楔の打込みを、その一側面については楔案内片に摺接させながら行うものであるが、該打込み横長楔の他側面は、上記楔用窓孔内において梁または柱の対向面に直接摺接しながらその対向面を押圧し、それによって、梁を柱に向けて移動させるか、柱を土台に向けて下降させている。
【０００６】
このため、梁または柱の楔用窓孔内の上記対向面に、打込み横長楔の摺接と押圧による食い込みや変形を生じ、その打込み横長楔を正確に打ち込めず、したがってまた、梁と柱との接合連繋や柱と土台との接合連繋を、設定どおり強固なものにできないという問題があった。
【０００７】
【特許文献１】第２５６５４４１号実用新案登録公報
【特許文献２】第２５７０５４３号実用新案登録公報
【発明の開示】
【発明が解決しようとする課題】
【０００８】
本発明の目的は、梁または柱等の楔用窓孔の対向面に食い込みや変形を生じさせることなく、打込み横長楔を正確に打ち込むことができるようにし、梁と柱との間の接合連繋や柱と土台との間の接合連繋を設定どおり強固なものにしようとするものである。
【課題を解決するための手段】
【０００９】
請求項１記載の本発明木造建築物における接合連繋構造は柱に取り付けた接合金具に梁または桁の端部を嵌合し、その接合金具と梁または桁の端部の楔用窓孔に、楔案内片を装着し、その楔案内片に重合案内させながら打込み横長楔を打ち込むことにより、梁または桁全体を柱に向かって移動し、梁または桁と柱を接合連繋している木造建築物における接合連繋構造において、楔用窓孔ｂ’，ｃ’に、高さｈを楔用窓孔ｂ’，ｃ’の高さと略同じにした一対の楔案内片ｄ，ｄ’を互いの内面１１，１４を対向させた状態で装着し、この一対の楔案内片ｄ，ｄ’の間に、高さｈ’を上記楔案内片ｄ，ｄ’の高さｈと同じにした打込み横長楔ｅを打ち込んでなる。
【００１０】
請求項２記載の本発明木造建築物における接合連繋構造は、土台に取り付けた接合金具に柱の下端部を嵌合し、その接合金具と柱の下端部の楔用窓孔に、楔案内片を装着し、その楔案内片に重合案内させながら打込み横長楔を打ち込むことにより、柱全体を土台に向かって下降させ、柱と土台を接合連繋している木造建築物における接合連繋構造において、楔用窓孔ｂ’，ｃ’に、高さｈを楔用窓孔ｂ’，ｃ’の高さと略同じにした一対の楔案内片ｄ，ｄ’を互いの内面１１，１４を対向させた状態で装着し、この一対の楔案内片ｄ，ｄ’の間に、高さｈ’を上記楔案内片ｄ，ｄ’の高さｈと同じにした打込み横長楔ｅを打ち込んでなる。
【００１１】
請求項３記載の本発明は、一対の楔案内片ｄ，ｄ’が、基端９，１６側の幅ｗ１，ｗ３に比し先端１０，１５側の幅ｗ２，ｗ４を広くして先太にしてなり、打込み横長楔ｅが基端１７側の幅ｗ５に比し先端１８側の幅ｗ６を狭くして先細にしてなる請求項１または２記載の木造建築物における接合連繋構造である。
【００１２】
請求項４記載の本発明は、一方の楔案内片ｄが、その外面に縦凹溝１２を掘設し、その縦凹溝１２を接合金具ｂの楔用窓孔ｂ’の孔縁ｂ’１に嵌合している請求項１，２または３記載の木造建築物における接合連繋構造である。
【００１３】
請求項５記載の本発明は、一方の楔案内片ｄが、その先端１０に係止部１３を突設し、その係止部１３に他方の楔案内片ｄ’の先端１５が係止している請求項１，２，３または４記載の木造建築物における接合連繋構造である。
【００１４】
請求項６記載の本発明は、一対の楔案内片ｄ，ｄ’の内面１１，１４および打込み横長楔ｅの両側面を粗面としている請求項１，２，３，４または５記載の木造建築物における接合連繋構造である。
【発明の効果】
【００１５】
請求項１〜６記載の本発明においては、楔用窓孔ｂ’，ｃ’に装着した一対の楔案内片ｄ，ｄ’の間に、打込み横長楔ｅが打ち込まれるので、その打込み横長楔ｅが、梁ｃ（桁，柱）に形成された楔用窓孔ｃ’の内面に食い込みや変形を生じさせるようなことがない。
【００１６】
また、請求項５および６記載の本発明においては、一方の楔案内片ｄの縦凹溝１２を接合金具ｂの楔用窓孔ｂ’の孔縁ｂ’１に嵌合させるとともに、その楔案内片ｄの係止部１３に他方の楔案内片ｄ’の先端１５を係止させているので、打込横長楔ｅを打ち込むのにともなって楔案内片ｄ’が、その打込み方向に一緒に移動し、楔用窓孔ｃ’から外方に飛び出してしまうようなこともない。
【００１７】
したがって、梁ｃと柱ａとの間（あるいは柱と土台との間）の接合連繋を設定どおり、緊密にしてかつ強固なものにできる。
【発明を実施するための最良の形態】
【００１８】
楔用窓孔ｂ’，ｃ’に、一対の楔案内片ｄ，ｄ’を装着し、この一対の楔案内片ｄ，ｄ’の間に、打込み横長楔ｅを打ち込んでなる。
【実施例】
【００１９】
この実施例は、梁と柱の接合連繋構造に係り、それは、概括的には、柱ａに取り付けた接合金具ｂに、梁ｃの端部を嵌合支持させるとともに、その接合金具ｂの楔用窓孔ｂ’と梁ｃの端部の楔用窓孔ｃ’とに装着した一対の楔案内片ｄ，ｄ’の間に打込み横長楔ｅを打ち込むことにより、上記接合金具ｂを介し、柱ａと梁ｃとを緊密にしてかつ強固に接合連繋するもので、上記一対の楔案内片ｄ，ｄ’の間に打込み横長楔ｅを打ち込んでいることをもっとも重要な点としている。
【００２０】
上記接合金具ｂは、起立板１と底板２でＬ形をなすとともに、これら起立板１の内面と底板２の上面との間に芯板３を設立固定し、その芯板３の略中央に方形の上記楔用窓孔ｂ’を開設している。
【００２１】
この接合金具ｂは、柱ａの側面所要位置に掘設形成した浅底凹処４に上記起立板１を嵌合し、複数組のボルト５とナット６とにより、柱ａにしっかりと取付け固定される。
【００２２】
上記梁ｃは、その端部の下面ｃ１に、接合金具ｂの底板２を受入するのに必要なそれと略同形，同大の浅底凹処７を掘削形成するとともに、該端部の（梁ｃの長軸線に沿う）中央には、接合金具ｂの芯板３を受入するのに必要なそれと略同形，同大の嵌合縦溝８を、上記端部の端面ｃ２と上面ｃ３および上記浅底凹処７に連通開口する状態にして掘削形成している。
また、梁ｃは、その端部の両側面ｃ４，ｃ５に開口する上記楔用窓孔ｂ’と同形，同大でかつ筒孔状の上記楔用窓孔ｃ’を、上記嵌合縦溝８を横断する状態において掘削形成している。
【００２３】
その梁ｃは、柱ａに取付け固定されている上記接合金具ｂに対し、浅底凹処７を底板２に嵌合するとともに嵌合縦溝８を芯板３に嵌合し、かつ、楔用窓孔ｃ’を楔用窓孔ｂ’に略一致させた状態で、乗載支持される。
【００２４】
このとき、梁ｃの端面ｃ２は柱ａの対向側面との間および接合金具ｂの起立板１の内面との間に隙間ｆ１を空け、また、梁ｃの浅底凹処７の柱ａから遠い側の内面は接合金具ｂの底板２の端面との間に隙間ｆ２を空け、かつ、接合金具ｂの芯板３に形成した上記楔用窓孔ｂ’の柱ａから遠い側の孔縁ｂ’１を梁ｃの楔用窓孔ｃ’内に少し突出させ、反対に柱ａに近い側の孔縁ｂ’２が楔用窓孔ｃ’外に位置する状態にして、そこに隙間ｆ３を空けるとともに、梁ｃの嵌合縦溝８の内奥部と上記芯板３の後端３’との間に隙間ｆ４を空ける（図２）。
【００２５】
次に、上記楔案内片ｄ，ｄ’と打込み横長楔ｅについて説明する。
楔案内片ｄは、基端９から先端１０までの長さＬを梁ｃの幅員（側面ｃ４，ｃ５間）と略同じにするとともに、高さｈを楔用窓孔ｂ’および楔用窓孔ｃ’の高さと略同じにした鉄等の金属製の六面体である。それは、基端９側の幅ｗ１に比し先端１０側の幅ｗ２を広くして先太にし、その一側内面１１を粗面とするとともに、外面の長手方向中央に縦凹溝１２を掘設している。そして、先端１０の内面１１側に係止部１３を突設形成している（図５）。
【００２６】
また、楔案内片ｄ’は、高さを上記楔案内片ｄの高さｈと同じに、したがってまた楔用窓孔ｂ’および楔用窓孔ｃ’の高さと略同じにした鉄等の金属製の六面体である。それは、上記楔案内片ｄと同じように基端１６側の幅ｗ３に比し先端１５側の幅ｗ４を広くして先太にするとともに、その一側内面１４を粗面としている。
しかし、上記楔案内片ｄと異なり、先端１５に係止部を形成しておらず、その基端１６から先端１５までの長さＬ’は、上記楔案内片ｄの長さＬよりも、先端１５に係止部を形成していない分だけ短くなっている（図５）。
【００２７】
打込み横長楔ｅは、その長さを上記楔案内片ｄ’の長さＬ’と同じにした断面方形の鉄等の金属製板状のもので、その高さｈ’を上記楔案内片ｄ，ｄ’の高さｈと同じとするとともに、その幅については、基端１７側の幅ｗ５に比し先端１８側の幅ｗ６を徐々に狭くして先細にしている。また、その両側面１９，１９を粗面としている（図５）。
【００２８】
そして、これら楔案内片ｄ，ｄ’と打込み横長楔ｅは、柱ａに取付け固定した接合金具ｂに梁ｃを乗載支持したところで、それらの楔用窓孔ｂ’と楔用窓孔ｃ’に装着され、これによって、柱ａと梁ｃとを接合金具ｂを介し緊密にしてかつ強固に接合連繋するものである。
【００２９】
それにはまず、楔案内片ｄ，ｄ’を、互いの内面１１，１４を対向させた状態（図１〜３）で、一緒にあるいは個別に、楔用窓孔ｂ’および楔用窓孔ｃ’に挿入し、楔案内片ｄの縦凹溝１２を、接合金具ｂの芯板３の孔縁ｂ’１（前記のように梁ｃの楔用窓孔ｃ’内に少し突出している）に嵌合させるとともに、楔案内片ｄの係止部１３に楔案内片ｄ’の先端１５を係合させる。これによって、楔案内片ｄ，ｄ’の間に内奥側（梁ｃの側面ｃ５側）の幅を狭くし手前側（梁ｃの側面ｃ４側）の幅を広くした楔打込み空処ｇが形成される（図２）。
【００３０】
その後、打込み横長楔ｅを、上記楔案内片ｄ，ｄ’に重合案内させながらそれらの間の楔打込み空処ｇに打ち込む。
この打込みにより、梁ｃ全体が接合金具ｂの芯板３に沿い柱ａに向かって、前記隙間ｆ１〜ｆ４を縮小しながら徐々に前進移動し、ついには端面ｃ２を柱ａの側面に圧接する。
圧接が完全な状態となったとき、打込み横長楔ｅの先端１８が楔案内片ｄの係止部１３に当接するとともに、その基端１７の端面を、楔案内片ｄ，ｄ’の基端９，１６の端面、したがってまた梁ｃの側面ｃ４と面一にするように、関係各部を設計してある（図３）。
【００３１】
本実施例においては、打込み横長楔ｅが、楔案内片ｄ，ｄ’に案内されながら打ち込まれ、柱ａに近い側の楔案内片ｄ’を介し、梁ｃ全体を柱ａ側に前進移動させる。
したがって、打込み横長楔ｅが梁ｃの楔用窓孔ｃ’の内面に食い込みや変形を生じさせるようなことがない。
【００３２】
また、楔案内片ｄの縦凹溝１２を接合金具ｂの芯板３の孔縁ｂ’１に嵌合させるとともに、その楔案内片ｄの係止部１３に楔案内片ｄ’の先端１５を係合させているので、打込み横長楔ｅを打ち込むのに伴って、楔案内片ｄ’がその打込み方向に一緒に移動し、楔用窓孔ｃ’から外方に飛び出してしまうようなこともない。
【００３３】
したがって、梁ｃと柱ａとの間の接合連繋を設定どおり、緊密にしてかつ強固なものとすることができる。特に、楔案内片ｄ，ｄ’の内面１１，１４および打込み横長楔ｅの両側面１９，１９を粗面としているので、互いの摩擦抵抗が大きく、地震等で当該木造建築物が振動することがあっても、不用意に弛緩するようなおそれはないものである。
【産業上の利用可能性】
【００３４】
以上、柱ａと梁ｃとを接合連繋する場合について説明したが、本発明は、柱と桁との接合連繋に適用できるのはもちろん、接合金具ｂを土台（図示していない）に取り付け、その接合金具ｂに柱ａの下端部を嵌合する構造とすることによって、土台と柱を接合連繋する場合にも同様に適用できる。
【図面の簡単な説明】
【００３５】
【図１】本発明の実施例に係る梁と柱の接合連繋構造の分解状態の斜視図である。
【図２】上記接合連繋構造において、一対の楔案内片を楔用窓孔に挿入した状態の横断平面図である。
【図３】上記一対の楔案内片の間に打込み横長楔を打ち込んだ状態の横断平面図である。
【図４】同上の側面図である。
【図５】本実施例の一対の楔案内片と打込み横長楔の斜視図である。
【符号の説明】
【００３６】
ａ              柱
ｂ              接合金具
ｃ              梁
ｂ’，ｃ’      楔用窓孔
ｂ’１          孔縁
ｄ，ｄ’        楔案内片
ｅ              打込み横長楔
ｈ              楔案内片の高さ
ｈ’            打込み横長楔の高さ
ｗ１            基端側の幅
ｗ２            先端側の幅
ｗ３            基端側の幅
ｗ４            先端側の幅
ｗ５            基端側の幅
ｗ６            先端側の幅
９              基端
１０            先端
１２            縦凹溝
１３            係止部
１５            先端
１６            基端
【図１】
2005213944.tif 000003
【図２】
2005213944.tif 000004
【図３】
2005213944.tif 000005
【図４】
2005213944.tif 000006
【図５】
2005213944.tif 000007